(57)【要約】【課題】原稿を搬送する際の搬送速度の変動を低減した原稿搬送装置，およびそれによって読撮画質を向上させた原稿読撮装置を提供すること。【解決手段】読撮前搬送部２０は，大径の第１ローラ２１，中径の第２ローラ２２，小径の第３ローラ２３と第４ローラ２４の４つのローラが備えられている。第３ローラ２３と第４ローラ２４との外周にはベルト２５が架け渡されている。そして，第３ローラ２３および第４ローラ２４はいずれも，第１ローラ２１から少し離間した位置に配置されている。原稿は，搬送方向上流の第１ローラ２１と第２ローラ２２とによって，高い挟持圧で挟持されて搬送される。そして，搬送方向下流の位置では，第１ローラ２１とベルト２５とによって，低い挟持圧で挟持されて搬送される。【選択図】　　　　　　図１
2004051365.tif 000002
【特許請求の範囲】
【請求項１】
原稿を挟持部材により両面から挟持して搬送する原稿搬送装置において，
前記挟持部材が複数の挟持箇所において原稿を挟持するものであり，
複数の挟持箇所により原稿を挟持する挟持圧が，
搬送方向上流の挟持箇所において高く，
搬送方向下流の挟持箇所において低いことを特徴とする原稿搬送装置。
【請求項２】
請求項１に記載の原稿搬送装置において，
前記挟持部材のうち一面側の部材に，
搬送方向上流の挟持箇所に位置する加圧ローラと，
搬送方向下流の挟持箇所に位置するベルトとが含まれ，
前記ベルトを架け渡すベルトローラのうち少なくとも搬送方向下流のものが，前記挟持部材のうち他面側の部材から離間して配置されていることを特徴とする原稿搬送装置。
【請求項３】
請求項１に記載の原稿搬送装置において，
前記挟持部材のうち一面側の部材が，複数の挟持箇所にわたって前記挟持部材のうち他面側の部材とともに原稿を挟持するベルトであり，
前記ベルトは，
搬送方向上流の挟持箇所で第１ベルトローラにより前記他面側の部材に押し付けられており，
搬送方向下流端の挟持箇所よりさらに下流の位置の第２ベルトローラにより前記他面側の部材から離間して保持されていることを特徴とする原稿搬送装置。
【請求項４】
請求項１に記載の原稿搬送装置において，
前記挟持部材のうち一面側の部材に，
搬送方向上流の挟持箇所に位置する加圧ローラと，
搬送方向下流の挟持箇所に位置するベルトとが含まれ，
前記ベルトは，
前記加圧ローラと同軸に設けられるとともに前記加圧ローラより小径な第１ベルトローラと，
搬送方向下流端の挟持箇所よりさらに下流に位置するとともに前記挟持部材のうち他面側の部材から離間して配置された第２ベルトローラとに架け渡されていることを特徴とする原稿搬送装置。
【請求項５】
原稿を挟持部材により両面から挟持して搬送しつつ，読撮部で原稿の画像を読み撮る原稿読撮装置において，
前記挟持部材が前記読撮部より上流の複数の挟持箇所において原稿を挟持するものであり，
前記読撮部より上流の挟持箇所により原稿を挟持する挟持圧が，
搬送方向上流の挟持箇所において高く，
搬送方向下流の挟持箇所において低いことを特徴とする原稿読撮装置。
【発明の詳細な説明】
【０００１】
【発明の属する技術分野】
本発明は，原稿を搬送するための原稿搬送装置および原稿を読み撮るための原稿読撮装置に関する。さらに詳細には，原稿を搬送しながらその内容を読み撮るシートスルー方式の原稿搬送装置および原稿読撮装置に関するものである。
【０００２】
【従来の技術】
従来より，例えば，白黒コピー機等では原稿を自動搬送しつつ読み撮るシートスルー方式の原稿読撮装置が使用されている。また近年では，カラーコピー機においてもシートスルー方式が搭載されつつある。このシートスルー方式の原稿読撮装置１００は，図９，図１０に示すように構成されている。すなわち，読撮前の原稿を載置するための原稿載置部１１と，読撮後の原稿を収容するための原稿収容部１２とを有しており，原稿載置部１１から原稿収容部１２へと原稿が搬送されるものである。
【０００３】
また，搬送路の途中には，原稿を読み撮るための原稿読撮部１３および読撮用のＣＣＤ１４が備えられている。搬送路は，横Ｕ字型の経路に沿って，分離ローラ１５と複数の搬送ローラ対１６，排出ローラ対１７が間欠的に設置されて構成されている。原稿面を上向きに原稿載置部１１に載置された原稿は，分離ローラ１５によって上から１枚ずつ分離され，複数の搬送ローラ対１６に順に挟持されて搬送される。さらに，搬送路中の原稿読撮部１３を通過している間に，原稿がＣＣＤ１４によって読撮される。読撮された原稿は，排出ローラ対１７によって原稿収容部１２へと送られ，読撮面を下向きに積み重ねられる。
【０００４】
【発明が解決しようとする課題】
しかしながら，前記した従来の原稿読撮装置１００では以下のような問題点があった。すなわち，間欠的に設けられた複数の搬送ローラ対１６によって，原稿のそれぞれの箇所が圧接されつつ搬送されているため，原稿後端が搬送ローラ対１６のニップから脱出するときには，原稿に対して強い押し出し力が瞬間的に加えられる。そのため，原稿後端が原稿読撮部１３の直前の搬送ローラ対１６のニップから抜ける際には，原稿読撮部１３上にある後端付近の原稿速度が瞬間的に上昇してしまうのである。
【０００５】
従来の原稿読撮装置１００によって原稿を搬送させたときの，原稿読撮部１３における搬送速度の変化を，実験によって測定した結果を図１１に示す。このグラフにおいて，時刻Ｔｓは原稿の先端が原稿読撮部１３に到達した瞬間であり，時刻Ｔｅは原稿の後端が原稿読撮部１３を通過し終わった瞬間である。図１１に示すように，原稿の搬送速度は時刻Ｔにおいて大きく変化している。時刻Ｔ部分を除いた時刻Ｔｓ〜Ｔｅでは，およそ一定の範囲内を推移していることも分かる。この時刻Ｔにおいて原稿後端が，原稿読撮部１３直前の搬送ローラ対１６のニップから放出されたのである。従来の原稿読撮装置１００では，この瞬間的な搬送速度の変化によって，読撮された画像に歪みが発生したり，カラー画像として読み撮っている場合は色ずれが生じる等の画質低下が発生するおそれがあるという問題点があった。
【０００６】
本発明は，前記した従来の原稿搬送装置および原稿読撮装置が有する問題点を解決するためになされたものである。すなわちその課題とするところは，原稿を搬送する際の搬送速度の変動を低減した原稿搬送装置，およびそれによって読撮画質を向上させた原稿読撮装置を提供することにある。
【０００７】
【課題を解決するための手段】
この課題の解決を目的としてなされた本発明の原稿搬送装置は，原稿を挟持部材により両面から挟持して搬送する原稿搬送装置であって，挟持部材が複数の挟持箇所において原稿を挟持するものであり，複数の挟持箇所により原稿を挟持する挟持圧が，搬送方向上流の挟持箇所において高く，搬送方向下流の挟持箇所において低いものである。
【０００８】
すなわち本発明の原稿搬送装置では，原稿を両面から挟持して搬送する。ここで，原稿を挟持する挟持箇所が複数有り，そのうち搬送方向上流の挟持箇所では挟持圧が高くされているので，原稿は確実に搬送される。そして，この挟持圧の高い挟持箇所から原稿後端が脱出するときには，原稿のうち後端より前方の箇所が，搬送方向下流の挟持圧の低い挟持箇所により挟持されている。このため，脱出の瞬間の押し出し力がそのさらに前方へ伝達されることはない。従って，原稿の搬送速度に影響はない。そして，挟持圧の低い挟持箇所から原稿後端が脱出するときには，その瞬間の押し出し力は小さい。このため，原稿の搬送速度への影響は小さい。これにより，原稿を搬送する際の搬送速度の変動を低減した原稿搬送装置とすることができる。
【０００９】
このようなものにおいて本発明では，挟持部材のうち一面側の部材に，搬送方向上流の挟持箇所に位置する加圧ローラと，搬送方向下流の挟持箇所に位置するベルトとが含まれ，ベルトを架け渡すベルトローラのうち少なくとも搬送方向下流のものが，挟持部材のうち他面側の部材から離間して配置されていることとした。
これにより，搬送方向上流の挟持箇所では，加圧ローラと他面側の部材とによって高い挟持圧が得られる。また，搬送方向下流の挟持箇所では，一面側の挟持部材はベルトのみであり，低い挟持圧によって挟持されるものとなる。
【００１０】
あるいは本発明では，挟持部材のうち一面側の部材が，複数の挟持箇所にわたって挟持部材のうち他面側の部材とともに原稿を挟持するベルトであり，ベルトは，搬送方向上流の挟持箇所で第１ベルトローラにより他面側の部材に押し付けられており，搬送方向下流端の挟持箇所よりさらに下流の位置の第２ベルトローラにより他面側の部材から離間して保持されていることとした。
これにより，搬送方向上流の挟持箇所では，第１ベルトローラと他面側の部材とによって高い挟持圧が得られる。また，搬送方向下流の挟持箇所では，一面側の挟持部材はベルトのみであり，低い挟持圧によって挟持されるものとなる。
【００１１】
あるいは本発明では，挟持部材のうち一面側の部材に，搬送方向上流の挟持箇所に位置する加圧ローラと，搬送方向下流の挟持箇所に位置するベルトとが含まれ，ベルトは，加圧ローラと同軸に設けられるとともに加圧ローラより小径な第１ベルトローラと，搬送方向下流端の挟持箇所よりさらに下流に位置するとともに挟持部材のうち他面側の部材から離間して配置された第２ベルトローラとに架け渡されていることとした。
これにより，搬送方向上流の挟持箇所では，加圧ローラと他面側の部材とによって高い挟持圧が得られる。また，搬送方向下流の挟持箇所では，一面側の挟持部材はベルトのみであり，低い挟持圧によって挟持されるものとなる。
【００１２】
また，本発明の原稿読撮装置は，原稿を挟持部材により両面から挟持して搬送しつつ，読撮部で原稿の画像を読み撮る原稿読撮装置であって，挟持部材が，読撮部より上流の複数の挟持箇所において原稿を挟持するものであり，読撮部より上流の挟持箇所により原稿を挟持する挟持圧が，搬送方向上流の挟持箇所において高く，搬送方向下流の挟持箇所において低いものである。
すなわち本発明の原稿読撮装置では，読撮部より上流の複数の挟持箇所のうち，搬送方向上流では挟持圧が高く，搬送方向下流では挟持圧が低くされている。つまり，搬送方向下流の挟持箇所とは，搬送方向上流の挟持箇所と読撮部との間の挟持箇所である。従って，読撮部における原稿の搬送速度の変動が低減されている。それにより，読撮画質を向上させた原稿読撮装置とすることができる。
【００１３】
【発明の実施の形態】
以下，本発明に係る原稿搬送装置および原稿読撮装置を具体化した実施の形態について図面を参照しつつ詳細に説明する。本実施の形態は，例えば，複写機，ＭＦＰ，ファクシミリ等の画像形成装置や，スキャナ等に設けられる原稿読撮装置に本発明を適用したものである。
【００１４】
「第１の実施の形態」
本実施の形態の原稿読撮装置１は，図１に示すように，搬送前の原稿を載置するための原稿載置部１１と，読撮後の原稿を収容するための原稿収容部１２とを有している。また，原稿を読み撮るための原稿読撮部１３および読撮用のＣＣＤ１４を有している。さらに，原稿を搬送するための構成として，分離ローラ１５，複数の搬送ローラ対１６および排出ローラ対１７を有している。ここまでで述べた構成は，従来技術で説明した原稿読撮装置１００のうち，原稿読撮部１３の直前に配置された搬送ローラ対１６の構成を除いた他の部分と同様の構成となっている。
【００１５】
そして，この原稿読撮装置１では，従来の原稿読撮装置１００における原稿読撮部１３の直前の搬送ローラ対１６に代えて，図１，図２に示すように，読撮前搬送部２０が設けられている。読撮前搬送部２０には，大径の第１ローラ２１，中径の第２ローラ２２，小径の第３ローラ２３と第４ローラ２４の４つのローラが備えられている。第１ローラ２１と第２ローラ２２とは，互いに外周が接するように配置され，それらの間に搬送されてきた原稿が挟持される。また，第３ローラ２３と第４ローラ２４との外周にはベルト２５が架け渡されている。
【００１６】
そして，第３ローラ２３および第４ローラ２４はいずれも，第１ローラ２１から少し離間した位置に配置されている。このためベルト２５は，第３ローラ２３と第１ローラ２１との間の位置で，それらにより直接に挟み付けられてはいない。第４ローラ２４と第１ローラ２１との間の位置でも同様である。従ってベルト２５は，第３ローラ２３と第４ローラ２４との間の範囲内でのみ，第１ローラ２１に接触している。このことから，第１ローラ２１と第２ローラ２２とによる挟持箇所と，第１ローラ２１とベルト２５とによる挟持箇所とが，この読撮前搬送部２０の挟持範囲をなす。ここで，第２ローラ２２が加圧ローラに相当し，第１ローラ２１が他面側の部材に相当する。すなわち，第１ローラ２１と第２ローラ２２との間の挟持圧は高く，第１ローラ２１とベルト２５との間の挟持圧は低い。
【００１７】
この原稿読撮装置１は，次のように動作する。まず，原稿載置部１１に載置された原稿束の一番上の１枚が分離ローラ１５によって搬送路へ送り出される。送り出された原稿は，複数の搬送ローラ対１６によって先端から順に挟持され搬送される。原稿の先端が読撮前搬送部２０に到達すると，まず，第１ローラ２１と第２ローラ２２によって挟み込まれ，図２に示すように，第１ローラ２１と第２ローラ２２との回転によって搬送される。このとき，第１ローラ２１と第２ローラ２２との挟持圧は高く，原稿に対して強い搬送力を加えるので，原稿はほぼ一定の速度で確実に搬送される。
【００１８】
続いて，原稿の先端は第１ローラ２１とベルト２５との間に進入する。この部分は，ベルト２５の柔軟性から挟持圧は低く，従って原稿に加えられる搬送力も小さい。しかし，この段階では原稿の後方の部分が搬送ローラ対１６や第１ローラ２１と第２ローラ２２との組などによって強い搬送力で搬送されているので，安定して搬送され続ける。そして，原稿の先端が原稿読撮部１３に到達すると，ＣＣＤ１４によって原稿の読撮が開始される。そして，原稿が原稿読撮部１３に沿って進められるにつれて，ＣＣＤ１４によって順次読撮される。原稿読撮部１３を通り過ぎた原稿の先端は，排出ローラ対１７に挟み込まれ，さらに搬送される。
【００１９】
原稿の先端が進むにつれて，その後端も順次，搬送方向に進行する。そして，原稿後端が読撮前搬送部２０に達し，第１ローラ２１と第２ローラ２２とのニップから放出された瞬間に，原稿後端付近は強く前方に押し出される。このとき，原稿後端のすぐ前方は第１ローラ２１とベルト２５によって挟持されているので，この押し出し力はこの挟持部分より前方へは伝わらない。従って，原稿読撮部１３上にある原稿部分には速度変動はない。続いて原稿後端は，第１ローラ２１とベルト２５とによる挟持部分からも放出されることとなる。しかし，第１ローラ２１とベルト２５とによる挟持圧は低いので，原稿後端がこのときに受ける押し出し力は小さいものである。従って，このときにも原稿読撮部１３上の原稿にはほとんど影響はなく，速度変動はない。原稿読撮部１３を通り過ぎた原稿は排出ローラ対１７によってさらに搬送され，原稿後端が最後の排出ローラ対１７のニップから抜けると，原稿は原稿収容部１２に収容される。
【００２０】
本実施の形態の原稿読撮装置１によって原稿を搬送した結果，搬送速度の変化は，図３に示すようになった。図３では，図１１に示した時刻Ｔｓ〜Ｔｅのうち，Ｔｅ近傍の３分の１程度の期間のみを拡大して示している。図３に示すように，この原稿読撮装置１によれば，搬送速度が大きく変化する箇所はなかった。これにより，原稿を搬送する際の搬送速度の変動が低減されたことがわかった。
【００２１】
以上詳細に説明したように，第１の実施の形態の原稿読撮装置１によれば，原稿読撮部１３の直前に読撮前搬送部２０を設けたので，原稿は第１ローラ２１と第２ローラ２２とのニップと，第１ローラ２１とベルト２５とのニップを順に通過する。第１ローラ２１と第２ローラ２２とのニップは挟持圧が高く，原稿は大きな搬送力が加えられる。一方，第１ローラ２１とベルト２５とのニップは挟持圧が低く，原稿に加えられる搬送力は小さい。従って，原稿後端が第１ローラ２１と第２ローラ２２とのニップを通過したときに原稿に加えられる衝撃は，第１ローラ２１とベルト２５とのニップによって吸収される。一方，原稿後端が第１ローラ２１とベルト２５とのニップを通過したときに原稿に加えられる衝撃は小さいので，原稿読撮部１３上の原稿の位置に影響を与えるほどではない。これにより，原稿読撮部１３上の原稿速度の変動を低減することができた。
【００２２】
「第２の実施の形態」
次に，本発明に係る原稿読撮装置を具体化した第２の実施の形態について図面を参照しつつ説明する。本実施の形態の原稿読撮装置２は，第１の実施の形態の原稿読撮装置１のうち読撮前搬送部２０を変更したものであるので，変更部分のみを説明する。
【００２３】
本実施の形態の原稿読撮装置２には，図４，図５に示すように，読撮前搬送部２０に代えて読撮前搬送部３０が設けられている。読撮前搬送部３０は，大径の第１ローラ３１，大径の第２ローラ３２，小径の第３ローラ３３の３つのローラを備えている。そして，第２ローラ３２と第３ローラ３３との外周には，ベルト３４が架け渡されている。第１ローラ３１と第２ローラ３２とは，ベルト３４を挟んで互いに圧接されている。しかし，第３ローラ３３は第１ローラ３１から少し離間している。
【００２４】
そのため，第１ローラ３１は，第２ローラ３２との圧接位置から第３ローラ３３の方向へある程度の範囲にわたってベルト３４に接している。しかし，第３ローラ３３の位置では，ベルト３４は，第１ローラ３１と第３ローラ３３によって挟み付けられていない。このことから，第１ローラ３１と第２ローラ３２とによる挟持箇所と，第１ローラ３１とベルト３４とによる挟持箇所とが，この読撮前搬送部３０の挟持範囲をなす。ここで，第２ローラ３２が第１ベルトロータに相当し，第３ローラ３３が第２ベルトローラに相当する。すなわち，第１ローラ３１と第２ローラ３２との間の挟持圧は高く，第１ローラ３１とベルト３４との間の挟持圧は低い。
【００２５】
本実施の形態の原稿読撮装置２によれば，第１の実施の形態の原稿読撮装置１と同様に，原稿を原稿載置部１１から原稿収容部１２へ向けて１枚ずつ搬送できる。そして，原稿後端が読撮前搬送部３０に到達すると，次のようになる。まず，原稿後端が第１ローラ３１と第２ローラ３２との間のニップから脱出したときには，原稿の前方の部分が第１ローラ３１とベルト３４とによって挟持されている。従って，原稿後端からの衝撃は原稿読撮部１３上の原稿部分の搬送速度に影響を与えることはない。次に，原稿後端が第１ローラ３１とベルト３４との間のニップから脱出したときは，原稿は小さな押し出し力しか受けていない。この間のニップは挟持圧が低く，押し出す衝撃力も小さいからである。よって，原稿読撮部１３上の原稿の搬送速度が変動するほどではない。従って，原稿読撮部１３上の原稿の搬送速度が変動することはない。
【００２６】
以上詳細に説明したように，第２の実施の形態の原稿読撮装置２によれば，第１の実施の形態の原稿読撮装置１と同様に，原稿読撮部１３上の原稿速度の変動を低減することができた。さらに，第１の実施の形態に比較してローラの数が少ないので，駆動部分の構成がさらに簡単になる。さらに，第１ローラ３１は従来の原稿読撮装置１００で使用されていた搬送ローラ対１６の片側と同じ大きさなので，変更部分が少なく改造にかかるコストが小さくてすむ。
【００２７】
「第３の実施の形態」
次に，本発明に係る原稿読撮装置を具体化した第３の実施の形態について図面を参照しつつ説明する。本実施の形態の原稿読撮装置３は，第１の実施の形態の原稿読撮装置１のうち読撮前搬送部２０を変更したものであるので，変更部分のみを説明する。
【００２８】
本実施の形態の原稿読撮装置３には，図６，図７に示すように，読撮前搬送部２０に代えて読撮前搬送部４０が設けられている。読撮前搬送部４０は，大径の第１ローラ４１と，大径の第２ローラ４２，小径の第３ローラ４３の３つのローラを備えている。さらに，第２ローラ４２と同軸に，第２ローラ４２よりやや小径の第４ローラ４４が設けられ，第４ローラ４４と第３ローラ４３との間には，ベルト４５が架け渡されている。そして，図８に示すように，第１ローラ４１は，第２ローラ４２に圧接されるとともに，その圧接位置より図中やや下方でベルト４５に接している。このことから，第１ローラ４１と第２ローラ４２とによる挟持箇所と，第１ローラ４１とベルト４５とによる挟持箇所とが，この読撮前搬送部４０の挟持範囲をなす。
【００２９】
また，第１ローラ４１の駆動軸４６に設けられた歯車４７と，第３ローラ４３の駆動軸４８に設けられた歯車４９とは，互いにかみ合わされ，単一の駆動源から駆動力を得るようになっている。ここで，第２ローラ４２が加圧ローラに相当し，第４ローラ４４が第１ベルトローラに，第３ローラ４３が第２ベルトローラに相当する。すなわち，第１ローラ４１と第２ローラ４２との間の挟持圧は高く，第１ローラ４１とベルト４５との間の挟持圧は低い。
【００３０】
本実施の形態の原稿読撮装置３によれば，第１の実施の形態の原稿読撮装置１と同様に，原稿を原稿載置部１１から原稿収容部１２へ向けて１枚ずつ搬送できる。そして，原稿後端が読撮前搬送部４０に到達すると，次のようになる。まず，原稿後端が第１ローラ４１と第２ローラ４２との間のニップから脱出したときには，原稿の前方の部分が第１ローラ４１とベルト４５とによって挟持されている。従って，原稿後端からの衝撃は原稿読撮部１３上の原稿部分の搬送速度に影響を与えることはない。次に，原稿後端が第１ローラ４１とベルト４５との間のニップから脱出したときは，原稿は小さな押し出し力しか受けない。この間のニップは挟持圧が低く，押し出す衝撃力も小さいからである。よって，原稿読撮部１３上の原稿の搬送速度が変動するほどではない。従って，原稿読撮部１３上の原稿の搬送速度が変動することはない。
【００３１】
以上詳細に説明したように，第３の実施の形態の原稿読撮装置３によれば，第１の実施の形態の原稿読撮装置１と同様に，原稿読撮部１３上の原稿速度の変動を低減することができた。さらに，第２の実施の形態の原稿読撮装置２に比較して，第１ローラ４１と第２ローラ４２と間にベルトを介していないので，この間の挟持圧は確実に原稿に伝えられる。
【００３２】
なお，本実施の形態は単なる例示にすぎず，本発明を何ら限定するものではない。したがって本発明は当然に，その要旨を逸脱しない範囲内で種々の改良，変形が可能である。
例えば，搬送ローラ対１６や排出ローラ対１７の配置や個数等はこれに限るものではない。
また例えば，上記の各実施の形態では，他面側の部材に相当するローラ（第１ローラ２１，３１，４１）は，それぞれ１つのローラで構成され，そのうち挟持圧が高い部分と低い部分とが設けられている。しかし，この他面側の部材を複数のローラ等で構成することも可能である。例えば，第１の実施の形態の第１ローラ２１を，第２ローラ２２と対をなして高い挟持圧で挟持するローラと，ベルト２５に対向して低い挟持圧で挟持するローラとの２つのローラで構成することもできる。
【００３３】
【発明の効果】
以上の説明から明らかなように本発明によれば，原稿を搬送する際の搬送速度の変動を低減した原稿搬送装置，およびそれによって読撮画質を向上させた原稿読撮装置が提供されている。
【図面の簡単な説明】
【図１】第１の実施の形態にかかる原稿読撮装置の構成を示す側面図である。
【図２】第１の実施の形態にかかる読撮前搬送部の構成を示す側面図である。
【図３】第１の実施の形態にかかる原稿読撮装置による搬送速度の変化を示すグラフ図である。
【図４】第２の実施の形態にかかる原稿読撮装置の構成を示す側面図である。
【図５】第２の実施の形態にかかる読撮前搬送部の構成を示す側面図である。
【図６】第３の実施の形態にかかる原稿読撮装置の構成を示す側面図である。
【図７】第３の実施の形態にかかる読撮前搬送部の構成を示す側面図である。
【図８】第３の実施の形態にかかる原稿読撮装置の構成を示す正面図である。
【図９】従来の原稿読撮装置の構成を示す側面図である。
【図１０】従来の原稿読撮装置による原稿の搬送路を示す説明図である。
【図１１】従来の原稿読撮装置による搬送速度の変化を示すグラフ図である。
【符号の説明】
１，２，３　原稿読撮装置（原稿搬送装置を含む）
１３　原稿読撮部（読撮部）
１４　ＣＣＤ
１６　搬送ローラ対（挟持部材）
２０，３０，４０　読撮前搬送部
２１，３１，４１　第１ローラ（他面側の部材）
２２　第２ローラ（加圧ローラ）
２３　第３ローラ（ベルトローラ）
２４　第４ローラ（ベルトローラ）
２５，３４，４５　ベルト
３２　第２ローラ（第１ベルトローラ）
３３　第３ローラ（第２ベルトローラ）
４２　第２ローラ（加圧ローラ）
４３　第３ローラ（第２ベルトローラ）
４４　第４ローラ（第１ベルトローラ）
【図１】
2004051365.tif 000003
【図２】
2004051365.tif 000004
【図３】
2004051365.tif 000005
【図４】
2004051365.tif 000006
【図５】
2004051365.tif 000007
【図６】
2004051365.tif 000008
【図７】
2004051365.tif 000009
【図８】
2004051365.tif 000010
【図９】
2004051365.tif 000011
【図１０】
2004051365.tif 000012
【図１１】
2004051365.tif 000013